(57)【要約】      （修正有）【課題】靴下を介助者なしに履くための靴下専用のガイド板で、特に装着が面倒であった五本指靴下の装着の際にすぐれた補助機能を発揮する靴下専用の装着補助具を提供する。【解決手段】長さ１２０ｍｍから３００ｍｍ、幅５０ｍｍから１５０ｍｍ、厚さ２ｍｍから２０ｍｍの大きさを有し、木もしくは竹等の植物類、あるいは各種プラスチック類もしくは各種繊維補強素材類、各種金属類、各種パルプ加工材を素材とした、靴下装着用補助具であって、一枚の靴下装着補助具の両面を右足用と左足用と使い分けることで左右の靴下を自力で装着することが可能となる。【選択図】図２
0003153100.tif 000002
【実用新案登録請求の範囲】
【請求項１】
長さ１２０ｍｍから３００ｍｍ、幅５０ｍｍから１５０ｍｍ、厚さ２ｍｍから２０ｍｍの大きさを有し、木もしくは竹等の植物類、あるいは各種プラスチック類もしくは各種繊維補強素材類、各種金属類、各種パルプ加工材を素材とした、図２のような形状と構造を有する靴下装着用補助具であって、一枚の靴下装着補助具の両面を右足用と左足用と使い分けることで左右の靴下を自力で装着することが可能な靴下装着用補助具。
【考案の詳細な説明】
【技術分野】
【０００１】介助や看護において介助者が要介助者に靴下を装着する場合、あるいは握力が低下した高齢者が自分で靴下を履く場合、装着に手間が掛かり、特に五本指靴下は健常者でも履きにくく、介助者が要介助者に歩行の安定や健康のために靴下を装着しようと思っても、装着に手間が掛かるために敬遠されてきた。
こうした状況を単純かつ簡便かつ安価に解決する考案である。
【背景技術】
【０００２】介助や看護において介助者が要介助者に靴下を装着する場合、あるいは握力が低下した高齢者や肥満のため靴下が履きづらい者、あるいは身体に障害がある者などが自力で靴下を履こうとすると面倒で手間が掛かってしまう。
特に五本指靴下は履きにくく、強撚糸靴下やサポート力が強いソックス等の圧迫が強い靴下類を履こうとすると、足指が靴下の爪先部分まで入らないことがある。
【先行技術文献】
【特許文献】
【０００３】
【特許文献１】先行技術として「特許公開２００１−１４５５０１  発明者：滝田  正良」による「靴べら付き靴の中敷き」なる発明があるが、この発明は靴に足を入れやすくするものであり、形状が類似しているが、本件とは明らかに用途が異なる技術である。
【特許文献２】先行技術である「特許公開２００８−１３２３１５  発明者：横峯  紀子」による「靴下装着補助具およびその方法」なる発明は、操作レバーがある装置であり、「靴下装着補助具」としての目的は同じであるが、本件とは明らかにその構造が著しく異なるものである。
【実用新案文献１】
先行技術である「登録実用新案第３１４１７８０号  考案者：新宅  緑」による「靴下装着補助具」は布製であり、「靴下装着補助具」としての目的は同じであるが、本件とはその構造および使用方法ならびにその形状が著しく異なるものである。
【考案の概要】
【考案が解決しようとする課題】
【０００４】従来の靴下装着補助具は、介助者が必要であったり、靴下を履く際に足を上げたり、操作が煩雑で、握力がなく動作が不自由な高齢者や障害者等には使用上の制約があった。
特に五本指靴下は健康や歩行の安定に効果があるとされているが、従来の技術では足指が五本指靴下の先端部に差し込みにくかった。こうした問題を単純かつ簡便かつ安価に解決する靴下装着補助具が求められていた。
【課題を解決するための手段】
【０００５】本件考案は、要するに靴下を介助者なしに履くための靴下専用の「ガイド板」であり、特に装着が面倒であった五本指靴下の装着の際にすぐれた補助機能を発揮する「靴下専用のくつべら」である。
【考案の効果】
【０００６】本件考案は、通常の形状の靴下は無論のこと、これまで装着が面倒であった五本指靴下の装着の際に動作を補助する用具であり、さらに靴下を展示・販売する際の展示具としての利用も可能である。
【図面の簡単な説明】
【０００７】
【図１】本件靴下装着補助具の使用状況を示した模式図である。
【図２】本件靴下装着補助具の上面図および横面図である。
【考案を実施するための形態】
【０００８】本件考案の使用方法を図１および図２にもとづいて説明する。
まず、靴下を履く準備として本件靴下装着補助具を片手に持ち、その先端を足に装着しようとしている靴下の中に差し込み、本件靴下装着補助具が靴下の先端まで完全に到達するまで挿入する。
特に五本指靴下の場合は、本件靴下装着補助具の形状と完全に一致するように五本指靴下の各指先と本件靴下装着補助具の各指先が完全に一致するように本件靴下装着補助具を挿入する。
その際、図２の「ヘ」にある靴下のたぐり寄せ滞留凹部に、装着する靴下の概ね土踏まず中央から履き口までの部分をこの凹部にたぐり寄せ、ここ土踏まず中央から履き口までの部分を滞留させておく。
そしてこの状態のまま本件靴下装着補助具を床面に置き、図１のように装着しようとする靴下の履き口から足指を靴下に差し込み、足の踵で本件靴下装着補助具を床面に押さえ付けながら、足指を尺取り虫のように這わせながら徐々に靴下の先端まで進ませる。
なお五本指靴下を装着する場合は、五本指靴下の先端の形状と本件靴下装着補助具の五本指靴下用足指ガイド「ト」の形状が完全に一致するように挿入し、各々の足指ガイドが完全に五本指靴下の先端に収納されたことを確認したのち、足の踵で本件靴下装着補助具を床面に押さえ付けながら、足指を尺取り虫のように這わせながら徐々に靴下の先端まで進ませる。
最後に足の踵を若干浮かせ、図２の「ホ」の持ち手を片手もしくは両手で握り、本件靴下装着補助具を装着した靴下と足の裏の間から引き抜き、その後で図１の「ロ」にたぐり寄せられていた残余の靴下を上方に引き上げるのである。
また残るもう一方の足に靴下を装着する場合は、本件靴下装着補助具を裏返し、再度同様の手順により靴下を装着する。
【実施例】
【０００９】本件靴下装着補助具はその大きさを「請求項１」に示す大きさの範囲で縮小することで、幼児や児童等に靴下や五本指靴下を装着するためにも利用可能である。
【符号の説明】
【００１０】イ：靴下
ロ：靴下のたぐり寄せ状況
ハ：靴下装着用補助具の横面図
ニ：足指の爪
ホ：靴下装着用補助具の持ち手
ヘ：靴下のたぐり寄せ滞留凹部
ト：五本指靴下用足指ガイド
【図１】
0003153100.tif 000003
【図２】
0003153100.tif 000004
【手続補正書】
【提出日】平成21年5月29日(2009.5.29)
【手続補正１】
【補正対象書類名】実用新案登録請求の範囲
【補正対象項目名】全文
【補正方法】変更
【補正の内容】
【実用新案登録請求の範囲】
【請求項１】
長さ１２０ｍｍから３００ｍｍ、幅５０ｍｍから１５０ｍｍ、厚さ２ｍｍから２０ｍｍの大きさを有し、木もしくは竹等の植物類、あるいは各種プラスチック類もしくは各種繊維補強素材類、各種金属類、各種パルプ加工材を素材とした、前方がおおむね人の足の大きさと形状をしており、後方には手指を掛けるための持ち手がある形状と構造を有する靴下装着用補助具であって、一枚の靴下装着補助具の両面を右足用と左足用と使い分けることで、握力が低下した者でも左右の靴下を自力で装着することが可能な靴下装着用補助具。
【手続補正２】
【補正対象書類名】明細書
【補正対象項目名】全文
【補正方法】変更
【補正の内容】
【考案の詳細な説明】
【技術分野】
【０００１】介助や看護において介助者が要介助者に靴下を装着する場合、あるいは握力が低下した高齢者が自分で靴下を履く場合、装着に手間が掛かり、特に五本指靴下は健常者でも履きにくく、介助者が要介助者に歩行の安定や健康のために靴下を装着しようと思っても、装着に手間が掛かるために敬遠されてきた。
こうした状況を単純かつ簡便かつ安価に解決する考案である。
【背景技術】
【０００２】介助や看護において介助者が要介助者に靴下を装着する場合、あるいは握力が低下した高齢者や肥満のため靴下が履きづらい者、あるいは身体に障害がある者などが自力で靴下を履こうとすると面倒で手間が掛かってしまう。
特に五本指靴下は履きにくく、強撚糸靴下やサポート力が強いソックス等の圧迫が強い靴下類を履こうとすると、足指が靴下の爪先部分まで入らないことがある。
【先行技術文献】
【特許文献】
【０００３】
【特許文献１】先行技術として「特許公開２００１−１４５５０１  発明者：滝田  正良」による「靴べら付き靴の中敷き」なる発明があるが、この発明は靴に足を入れやすくするものであり、形状が類似しているが、本件とは明らかに用途が異なる技術である。
【特許文献２】先行技術である「特許公開２００８−１３２３１５  発明者：横峯  紀子」による「靴下装着補助具およびその方法」なる発明は、操作レバーがある装置であり、「靴下装着補助具」としての目的は同じであるが、本件とは明らかにその構造が著しく異なるものである。
【実用新案文献１】
先行技術である「登録実用新案第３１４１７８０号  考案者：新宅  緑」による「靴下装着補助具」は布製であり、「靴下装着補助具」としての目的は同じであるが、本件とはその構造および使用方法ならびにその形状が著しく異なるものである。
【考案の概要】
【考案が解決しようとする課題】
【０００４】従来の靴下装着補助具は、介助者が必要であったり、靴下を履く際に足を上げたり、操作が煩雑で、握力がなく動作が不自由な高齢者や障害者等には使用上の制約があった。特に五本指靴下は健康や歩行の安定に効果があるとされているが、従来の技術では足指が五本指靴下の先端部に差し込みにくかった。こうした問題を単純かつ簡便かつ安価に解決する靴下装着補助具が求められていた。
【課題を解決するための手段】
【０００５】本件考案は、要するに靴下を介助者なしに履くための靴下専用の「ガイド板」であり、特に装着が面倒であった五本指靴下の装着の際にすぐれた補助機能を発揮する「靴下専用のくつべら」である。
【考案の効果】
【０００６】本件考案は、通常の形状の靴下は無論のこと、これまで装着が面倒であった五本指靴下の装着の際に動作を補助する用具であり、さらに靴下を展示・販売する際の展示具としての利用も可能である。
【図面の簡単な説明】
【０００７】
【図１】本件靴下装着補助具の使用状況を示した模式図である。
【図２】本件靴下装着補助具の上面図および横面図である。
【考案を実施するための形態】
【０００８】本件考案の使用方法を図１および図２にもとづいて説明する。
まず、靴下を履く準備として本件靴下装着補助具を片手に持ち、その先端を足に装着しようとしている靴下の中に差し込み、本件靴下装着補助具が靴下の先端まで完全に到達するまで挿入する。
特に五本指靴下の場合は、本件靴下装着補助具の形状と完全に一致するように五本指靴下の各指先と本件靴下装着補助具の各指先が完全に一致するように本件靴下装着補助具を挿入する。
その際、図２の「ヘ」にある靴下のたぐり寄せ滞留凹部に、装着する靴下の概ね土踏まず中央から履き口までの部分をこの凹部にたぐり寄せ、ここ土踏まず中央から履き口までの部分を滞留させておく。
そしてこの状態のまま本件靴下装着補助具を床面に置き、図１のように装着しようとする靴下の履き口から足指を靴下に差し込み、足の踵で本件靴下装着補助具を床面に押さえ付けながら、足指を尺取り虫のように這わせながら徐々に靴下の先端まで進ませる。
なお五本指靴下を装着する場合は、五本指靴下の先端の形状と本件靴下装着補助具の五本指靴下用足指ガイド「ト」の形状が完全に一致するように挿入し、各々の足指ガイドが完全に五本指靴下の先端に収納されたことを確認したのち、足の踵で本件靴下装着補助具を床面に押さえ付けながら、足指を尺取り虫のように這わせながら徐々に靴下の先端まで進ませる。
最後に足の踵を若干浮かせ、図２の「ホ」の持ち手を片手もしくは両手で握り、本件靴下装着補助具を装着した靴下と足の裏の間から引き抜き、その後で図１の「ロ」にたぐり寄せられていた残余の靴下を上方に引き上げるのである。
また残るもう一方の足に靴下を装着する場合は、本件靴下装着補助具を裏返し、再度同様の手順により靴下を装着する。
【実施例】
【０００９】本件靴下装着補助具はその大きさを「請求項１」に示す大きさの範囲で縮小することで、幼児や児童等に靴下や五本指靴下を装着するためにも利用可能である。
【符号の説明】
【００１０】イ：靴下
ロ：靴下のたぐり寄せ状況
ハ：靴下装着用補助具の横面図
ニ：足指の爪
ホ：靴下装着用補助具の持ち手
ヘ：靴下のたぐり寄せ滞留凹部
ト：五本指靴下用足指ガイド